(57)【要約】本発明は、全体としてほぼ均一な色調の照明光が得られる照明装置を提供する。本発明の照明装置１２は、複数の点状光源１７と、前記点状光源１７が収容されるシャーシ１４と、を備え、前記点状光源１７の各々は、その色調に応じてＣＩＥ１９３１座標において一辺が座標距離０．０１の四角形をなす２つ以上の色調ランクＡ，Ｂ，Ｃにそれぞれ区分され、前記シャーシ１４には、異なる前記色調ランクＡ，Ｂ，Ｃに属する前記点状光源１７が収容されていることを特徴とする。
2010147005.tif 000002
【特許請求の範囲】
【請求項１】
複数の点状光源と、
前記点状光源が収容されるシャーシと、を備え、
前記点状光源の各々は、その色調に応じてＣＩＥ１９３１座標において一辺が座標距離０．０１の四角形をなす２つ以上の色調ランクにそれぞれ区分され、
前記シャーシには、異なる前記色調ランクに属する前記点状光源が収容されていることを特徴とする照明装置。
【請求項２】
前記複数の点状光源が、長手状をなす基板に配置され、
前記基板が前記シャーシに設置されてなることを特徴とする請求項１に記載の照明装置。
【請求項３】
前記複数の点状光源は、前記基板の長手方向に沿って直線上に配置されていることを特徴とする請求項２に記載の照明装置。
【請求項４】
前記複数の点状光源は、１つの前記基板上に等間隔で配置されていることを特徴とする請求項２又は請求項３に記載の照明装置。
【請求項５】
前記複数の点状光源は、前記基板の長手方向に沿って複数列に並んで配置されていることを特徴とする請求項２から請求項４のいずれか１項に記載の照明装置。
【請求項６】
前記点状光源は、その隣り合うもの同士が、前記基板上において、互いに同一の前記色調ランク、又は隣り合う前記色調ランクに属することを特徴とする請求項２から請求項５のいずれか１項に記載の照明装置。
【請求項７】
前記基板は、並列に複数配置されており、当該基板の並列方向において隣り合う前記点状光源は、互いに同一の前記色調ランク、又は隣り合う前記色調ランクに属することを特徴とする請求項２から請求項６のいずれか１項に記載の照明装置。
【請求項８】
前記基板は並列に複数配置されており、当該基板の並列方向において、第１列に配置された前記基板と、第２列に配置された前記基板との間で、前記点状光源の前記色調ランクの配置態様が異なることを特徴とする請求項２から請求項７のいずれか１項に記載の照明装置。
【請求項９】
前記基板は並列に複数配置されており、当該基板の並列方向において、隣り合う前記基板同士が、その長手方向に１８０度反転した形で設置されていることを特徴とする請求項２から請求項８のいずれか１項に記載の照明装置。
【請求項１０】
前記基板はその長手方向に沿って複数配置され、
隣り合う前記基板同士はコネクタにより接続されていることを特徴とする請求項２から請求項９のいずれか１項に記載の照明装置。
【請求項１１】
前記コネクタは、互いに嵌合する第１コネクタと第２コネクタとからなり、
前記第１コネクタ及び前記第２コネクタのうち少なくとも一方は、前記基板の長手方向の端部より外側に延設されていることを特徴とする請求項１０に記載の照明装置。
【請求項１２】
前記コネクタは、アイボリー又は白色を呈することを特徴とする請求項１０又は請求項１１に記載の照明装置。
【請求項１３】
前記シャーシは平面視矩形状とされ、
前記基板は、その長手方向が前記シャーシの長辺方向と一致する形で配置されていることを特徴とする請求項２から請求項１２のいずれか１項に記載の照明装置。
【請求項１４】
前記点状光源は、発光ダイオードであることを特徴とする請求項１から請求項１３のいずれか１項に記載の照明装置。
【請求項１５】
前記点状光源は、青色発光チップに、黄色の領域に発光ピークを持つ蛍光体を塗布することにより白色発光する発光ダイオードであることを特徴とする請求項１から請求項１４のいずれか１項に記載の照明装置。
【請求項１６】
前記点状光源は、青色発光チップに、緑色及び赤色の領域に発光ピークを持つ蛍光体を塗布することにより白色発光する発光ダイオードであることを特徴とする請求項１から請求項１４のいずれか１項に記載の照明装置。
【請求項１７】
前記点状光源は、青色発光チップに、緑色の領域に発光ピークを持つ蛍光体を塗布するとともに、赤色チップを組み合わせることにより白色発光する発光ダイオードであることを特徴とする請求項１から請求項１４のいずれか１項に記載の照明装置。
【請求項１８】
前記点状光源は、青色、緑色、及び赤色の発光チップを組み合わせることにより白色発光する発光ダイオードであることを特徴とする請求項１から請求項１４のいずれか１項に記載の照明装置。
【請求項１９】
前記点状光源は、紫外光発光チップと蛍光体とからなることを特徴とする請求項１から請求項１４のいずれか１項に記載の照明装置。
【請求項２０】
前記点状光源は、紫外光発光チップと、青色、緑色、及び赤色の領域に発光ピークを持つ蛍光体とからなることを特徴とする請求項１から請求項１４のいずれか１項に記載の照明装置。
【請求項２１】
前記点状光源は、電気的に直列に接続されていることを特徴とする請求項１から請求項２０のいずれか１項に記載の照明装置。
【請求項２２】
前記基板には、前記点状光源を覆う形で、当該点状光源からの光を拡散可能な拡散レンズが取り付けられていることを特徴とする請求項１から請求項２１のいずれか１項に記載の照明装置。
【請求項２３】
前記拡散レンズは、光を拡散可能な光拡散部材であることを特徴とする請求項２２に記載の照明装置。
【請求項２４】
前記拡散レンズは、前記基板側の面に表面粗し処理が施されていることを特徴とする請求項２２又は請求項２３に記載の照明装置。
【請求項２５】
複数の点状光源と、
前記点状光源が収容されるシャーシと、を備え、
前記点状光源の各々は、その色調に応じてＣＩＥ１９３１座標において一辺が所定の座標距離の四角形をなす２つ以上の色調ランクにそれぞれ区分され、
前記シャーシには、異なる前記色調ランクに属する前記点状光源が収容されており、
前記複数の点状光源が、長手状をなす基板に配置され、
前記基板が前記シャーシに設置されており、
前記点状光源は、その隣り合うもの同士が、前記基板上において、互いに同一の前記色調ランク、又は隣り合う前記色調ランクに属することを特徴とする照明装置。
【請求項２６】
複数の点状光源と、
前記点状光源が収容されるシャーシと、を備え、
前記点状光源の各々は、その色調に応じてＣＩＥ１９３１座標において一辺が所定の座標距離の四角形をなす２つ以上の色調ランクにそれぞれ区分され、
前記シャーシには、異なる前記色調ランクに属する前記点状光源が収容されており、
前記複数の点状光源が、長手状をなす基板に配置され、
前記基板が前記シャーシに設置されており、
前記基板は、並列に複数配置されており、当該基板の並列方向において隣り合う前記点状光源は、互いに同一の前記色調ランク、又は隣り合う前記色調ランクに属することを特徴とする照明装置。
【請求項２７】
複数の点状光源と、
前記点状光源が収容されるシャーシと、を備え、
前記点状光源の各々は、その色調に応じてＣＩＥ１９３１座標において一辺が所定の座標距離の四角形をなす２つ以上の色調ランクにそれぞれ区分され、
前記シャーシには、異なる前記色調ランクに属する前記点状光源が収容されており、
前記複数の点状光源が、長手状をなす基板に配置され、
前記基板が前記シャーシに設置されており、
前記基板は並列に複数配置されており、当該基板の並列方向において、第１列に配置された前記基板と、第２列に配置された前記基板との間で、前記点状光源の前記色調ランクの配置態様が異なることを特徴とする照明装置。
【請求項２８】
複数の点状光源と、
前記点状光源が収容されるシャーシと、を備え、
前記点状光源の各々は、その色調に応じてＣＩＥ１９３１座標において一辺が所定の座標距離の四角形をなす２つ以上の色調ランクにそれぞれ区分され、
前記シャーシには、異なる前記色調ランクに属する前記点状光源が収容されており、
前記複数の点状光源が、長手状をなす基板に配置され、
前記基板が前記シャーシに設置されており、
前記基板は並列に複数配置されており、当該基板の並列方向において、隣り合う前記基板同士が、その長手方向に１８０度反転した形で設置されていることを特徴とする照明装置。
【請求項２９】
請求項１から請求項２８のいずれか１項に記載の照明装置と、
前記照明装置からの光を利用して表示を行う表示パネルと、を備えることを特徴とする表示装置。
【請求項３０】
前記表示パネルが液晶を用いた液晶パネルであることを特徴とする請求項２９に記載の表示装置。
【請求項３１】
請求項２９又は請求項３０に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要とする。このバックライト装置は、液晶パネルの裏側（表示面とは反対側）に設置されるものが周知であり、多数個の光源（例えばＬＥＤ）を備える。【０００３】
かかるバックライト装置には白色ＬＥＤを搭載する構成が知られているが、当該白色ＬＥＤは、白色の中でも色調にばらつきが生じることが多い。そこで、色調にばらつきのある白色ＬＥＤを用いて、所定の白色光を照射することが可能な装置として特許文献１に記載の装置が知られている。この装置では、白色ＬＥＤの光が黄色味がかっている場合に、青色ＬＥＤの発光を強めることにより、所定の白色光を得ることが可能となっている。
【先行技術文献】
【特許文献】
【０００４】
【特許文献１】特開２００８−１５３０３９号公報
【０００５】
（発明が解決しようとする課題）
しかしながら、特許文献１に開示された装置では、２種類のＬＥＤを用いるため、管理が煩雑となるとともに、例えば白色ＬＥＤが緑色味がかった場合には、所定の白色光を得られないという課題がある。また、所定の白色光を得るために、当該所定の白色光を発する白色ＬＥＤのみを選択して使用するという手段も考えられるが、この場合、限られた白色ＬＥＤしか使用することができないため、白色ＬＥＤを必要以上に生産しなければならず、バックライト装置のコストアップに繋がり得る。
【発明の概要】
【０００６】
本発明は、上記のような事情に基づいてなされたものであって、全体としてほぼ均一な色調の照明光が得られる照明装置を提供することを目的としている。また、本発明は、そのような照明装置を備えた表示装置、さらに、そのような表示装置を備えたテレビ受信装置を提供することを目的とする。
【０００７】
（課題を解決するための手段）
上記課題を解決するために、本発明の照明装置は、複数の点状光源と、前記点状光源が収容されるシャーシと、を備え、前記点状光源の各々は、その色調に応じてＣＩＥ１９３１座標において一辺が座標距離０．０１の四角形をなす２つ以上の色調ランクにそれぞれ区分され、前記シャーシには、異なる前記色調ランクに属する前記点状光源が収容されていることを特徴とする。
【０００８】
例えば、同一の色調ランクの点状光源のみを使用する場合には、所定数の点状光源を確保するために必要以上に点状光源を生産しなければならず、また使用できない点状光源が生じ得るため、コストの増大に繋がる。そこで、本発明では、ＣＩＥ１９３１座標において一辺が座標距離０．０１の四角形をなす色調ランクに区分し、異なる色調ランクに属する点状光源を混在して使用する構成とした。ここで、ＣＩＥ１９３１座標において一辺が座標距離０．０１の四角形をなす範囲とは、点状光源の色調のムラが視認されない範囲を示す。以上のように、異なる色調ランクに属する点状光源を混在して使用することにより、同一の色調ランクの点状光源のみを使用する場合に比して、広範囲の色調ランクの点状光源を採用することができ、コスト削減に寄与することが可能となる。また、異なる色調ランクの点状光源を混在させることで、色調が全体として平均化され、ほぼ均一な色調の照明光を得ることが可能となる。
【０００９】
また、前記複数の点状光源が、長手状をなす基板に配置され、前記基板が前記シャーシに設置されてなるものとすることができる。
この場合、複数の点状光源が配置された基板を設置することで、各点状光源を１つずつ設置する場合に比して作業効率を向上させることが可能となる。
【００１０】
前記複数の点状光源は、前記基板の長手方向に沿って直線上に配置されているものとすることができる。
この場合、基板の設置態様により点状光源の設置態様が一義的に決まるため、点状光源の配置の設計が容易となる。
【００１１】
前記複数の点状光源は、１つの前記基板上に等間隔で配置されているものとすることができる。
この場合、基板によって点状光源の配置態様が変更されないため、照明装置のサイズが変更されても基板を使いまわすことが可能となる。
【００１２】
前記複数の点状光源は、前記基板の長手方向に沿って複数列に並んで配置されているものとすることができる。
このような構成によれば、点状光源の数に対して設置する基板の数を低減することができ、部品点数の削減、および作業効率の増大を実現することが可能となる。
【００１３】
前記点状光源は、その隣り合うもの同士が、前記基板上において、互いに同一の前記色調ランク、又は隣り合う前記色調ランクに属するものとすることができる。
この場合、隣り合う点状光源の色調が互いに大きく異なることがないため、色調ムラの発生を抑制することが可能となる。
【００１４】
また、前記基板は、並列に複数配置されており、当該基板の並列方向において隣り合う前記点状光源は、互いに同一の前記色調ランク、又は隣り合う前記色調ランクに属するものとすることができる。
このような構成によれば、基板の並列方向において、隣り合う点状光源の色調が互いに大きく異なることがないため、色調ムラの発生を抑制することが可能となる。
【００１５】
前記基板は並列に複数配置されており、当該基板の並列方向において、第１列に配置された前記基板と、第２列に配置された前記基板との間で、前記点状光源の前記色調ランクの配置態様が異なるものとすることができる。
このような構成によれば、第１列の基板と第２列の基板とで点状光源の色調ランクの配置態様が異なるため、例えば同一ランクの点状光源が偏って配置されることが生じ難く、色調ムラの発生を抑制することが可能となる。
【００１６】
前記基板は並列に複数配置されており、当該基板の並列方向において、隣り合う前記基板同士が、その長手方向に１８０度反転した形で設置されているものとすることができる。
このような構成によれば、１種類の基板を反転して配置することにより、点状光源の色調ランクの配置態様を変化させることが可能となり得、色調ムラの発生を抑制することが可能となる。
【００１７】
前記基板はその長手方向に沿って複数配置され、隣り合う前記基板同士はコネクタにより接続されているものとすることができる。
このような構成によれば、例えば長さの異なる、言い換えれば配置された点状光源の個数が異なる基板を数種類用意しておくことにより、照明装置のサイズ（長さ）が異なる場合にも、基板同士をコネクタにより連結することで各サイズに対応することができる。したがって、照明装置のサイズごとにそれぞれ基板を用意する必要がなく、コスト削減に寄与することが可能となる。
【００１８】
前記コネクタは、互いに嵌合する第１コネクタと第２コネクタとからなり、前記第１コネクタ及び前記第２コネクタのうち少なくとも一方は、前記基板の長手方向の端部より外側に延設されているものとすることができる。
このような構成によれば、隣り合う基板を第１コネクタと第２コネクタとで接続する際に、第１コネクタ及び第２コネクタのうち少なくとも一方が基板の外側に延設されているため、第１コネクタと第２コネクタとの嵌合を円滑に行うことが可能となる。
【００１９】
前記コネクタは、アイボリー又は白色を呈するものとすることができる。
この場合、コネクタは比較的光反射率が高いものとなるため、当該コネクタにおいて光を吸収し難く、輝度ムラの発生を抑制することが可能となる。
【００２０】
前記シャーシは平面視矩形状とされ、前記基板は、その長手方向が前記シャーシの長辺方向と一致する形で配置されているものとすることができる。
このような構成によれば、シャーシの短辺方向と基板の長手方向とを一致させる場合に比べて基板の数を減少させることが可能となる。したがって、例えば点状光源の点灯・消灯を制御する制御ユニットの数を減少させることができるため、低コスト化を実現することが可能となる。
【００２１】
前記点状光源は、発光ダイオードとすることができる。
この場合、光源の長寿命化並びに低消費電力化などを図ることが可能となる。
【００２２】
前記点状光源は、青色発光チップに、黄色の領域に発光ピークを持つ蛍光体を塗布することにより白色発光する発光ダイオードとすることができる。
また、前記点状光源は、青色発光チップに、緑色及び赤色の領域に発光ピークを持つ蛍光体を塗布することにより白色発光する発光ダイオードとすることができる。
あるいは、前記点状光源は、青色発光チップに、緑色の領域に発光ピークを持つ蛍光体を塗布するとともに、赤色チップを組み合わせることにより白色発光する発光ダイオードとすることができる。
さらには、前記点状光源は、青色、緑色、及び赤色の発光チップを組み合わせることにより白色発光する発光ダイオードとすることができる。
このような白色発光する発光ダイオードを用いる場合、白色の中でも例えば青味がかったりすることで色調にばらつきが生じ易い。そこで、本発明の構成を適用することにより、色調が全体として平均化され、ほぼ均一な色調の照明光を得ることが可能となる。
【００２３】
前記点状光源は、紫外光発光チップと蛍光体とからなるものとすることができる。
特に、前記点状光源は、紫外光発光チップと、青色、緑色、及び赤色の領域に発光ピークを持つ蛍光体とからなる。
このような光源においても、色調にばらつきが生じ易いものの、本発明の構成を適用することにより、色調が全体として平均化され、ほぼ均一な色調の照明光を得ることが可能となる。
【００２４】
前記点状光源は、電気的に直列に接続されているものとすることができる。
これにより、各点状光源に供給される電流を同一とすることができ、各点状光源からの発光量を均一化することができるため、当該照明装置の照明面における輝度均一性を向上させることが可能となる。
【００２５】
前記基板には、前記点状光源を覆う形で、当該点状光源からの光を拡散可能な拡散レンズが取り付けられているものとすることができる。
この場合、拡散レンズによって光が拡散されるため、隣り合う点状光源同士の間隔を大きくした場合にも、点状のランプイメージが発生し難い。したがって、配置する点状光源を削減することで低コスト化しつつ、ほぼ均一な輝度分布を得ることが可能となる。また、このような拡散レンズを設けることにより、各点状光源の光を混色することができ、色ムラの低減効果が得られるため、更なる色度均一性を図ることができる。
【００２６】
前記拡散レンズは、光を拡散可能な光拡散部材とすることができる。
この場合、拡散レンズにより良好な光の拡散を行うことが可能となる。
【００２７】
前記拡散レンズは、前記基板側の面に表面粗し処理が施されているものとすることができる。
このように、拡散レンズに例えばシボ処理等の表面粗し処理を行うことにより、より一層良好な光の拡散を行うことが可能となる。
【００２８】
次に、上記課題を解決するために、本発明の表示装置は、上述した照明装置と、当該照明装置からの光を利用して表示を行う表示パネルと、を備えることを特徴とする。
このような表示装置によると、照明装置において全体としてほぼ均一な色調の照明光が得られるため、当該表示装置においても表示ムラが抑制された良好な表示を実現することが可能となる。
【００２９】
前記表示パネルとしては液晶パネルを例示することができる。このような表示装置は液晶表示装置として、種々の用途、例えばテレビやパソコンのディスプレイ等に適用でき、特に大型画面用として好適である。
【００３０】
また、本発明のテレビ受信装置は、上記表示装置を備えることを特徴とする。
このようなテレビ受信装置によると、表示ムラのない視認性に優れた装置を提供することが可能となる。
【００３１】
（発明の効果）
本発明の照明装置によると、全体としてほぼ均一な色調の照明光を得ることが可能となる。また、本発明の表示装置によると、そのような照明装置を備えてなるため、表示ムラが抑制された良好な表示を実現することが可能となる。また、本発明のテレビ受信装置によると、そのような表示装置を備えてなるため、表示ムラのない視認性に優れた装置を提供することが可能となる。
【図面の簡単な説明】
【００３２】
【図１】本発明の一実施形態に係るテレビ受信装置の概略構成を示す分解斜視図
【図２】テレビ受信装置が備える液晶表示装置の概略構成を示す分解斜視図
【図３】液晶表示装置の長辺方向に沿った断面構成を示す断面図
【図４】液晶表示装置の短辺方向に沿った断面構成を示す断面図
【図５】シャーシにおけるＬＥＤ基板の配置態様を示す平面図
【図６】ＬＥＤ基板に取り付けられた部材の構成を示す要部拡大断面図
【図７】ＬＥＤ基板に取り付けられた部材の構成を示す要部拡大平面図
【図８】ＣＩＥ（国際照明委員会）による１９３１年策定の色度図
【図９】図７における色調ランクの区分を示す要部拡大図
【図１０】ＬＥＤ基板における各色調ランクのＬＥＤの配置態様を説明する模式図
【図１１】ＬＥＤ基板における各色調ランクのＬＥＤの異なる配置態様を説明する模式図
【図１２】ＬＥＤ基板における各色調ランクのＬＥＤのさらに異なる配置態様を説明する模式図
【図１３】ＬＥＤ基板における各色調ランクのＬＥＤのさらに異なる配置態様を説明する模式図
【図１４】ＬＥＤ基板の異なる接続態様を説明する模式図
【図１５】ＬＥＤの異なる配置態様を説明する模式図
【発明を実施するための形態】
【００３３】
本発明の一実施形態を図１ないし図１０によって説明する。
まず、液晶表示装置１０を備えたテレビ受信装置ＴＶの構成について説明する。
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００３４】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００３５】
バックライト装置１２は、図２に示すように、光出射面側（液晶パネル１１側）に開口した略箱型をなすシャーシ１４と、シャーシ１４の開口部を覆うようにして配される光学シート群１５（拡散板１５ａと、拡散板１５ａと液晶パネル１１との間に配される複数の光学シート１５ｂ）と、シャーシ１４の外縁に沿って配され拡散板１５ａの外縁部をシャーシ１４との間で挟んで保持するフレーム１６とを備える。さらに、シャーシ１４内には、発光ダイオード（点状光源、以下ＬＥＤと称する）１７が配置されている。なお、当該バックライト装置１２においては、ＬＥＤ１７よりも拡散板１５ａ側が光出射側となっている。
【００３６】
シャーシ１４は、金属製とされ、液晶パネル１１と同様に矩形状をなす底板１４ａと、底板１４ａの各辺の外端から立ち上がる側板１４ｂと、各側板１４ｂの立ち上がり端から外向きに張り出す受け板１４ｃとを有し、全体として表側に向けて開口した浅い略箱型をなしている。図３及び図４に示すように、シャーシ１４の受け板１４ｃには、フレーム１６が載置されており、当該受け板１４ｃとフレーム１６との間で後述する反射シート１８及び光学シート群１５の外縁部が挟持されている。さらに、フレーム１６の上面には、取付孔１６ａが穿設されており、ネジ１９等によりベゼル１３、フレーム１６、及びシャーシ１４等を一体化することが可能とされている。
【００３７】
シャーシ１４の開口部側には拡散板１５ａ及び光学シート１５ｂとからなる光学シート群１５が配設されている。拡散板１５ａは、合成樹脂製の板状部材に光散乱粒子が分散配合されてなり、点状の光源たるＬＥＤ１７から出射される点状の光を拡散する機能を有する。拡散板１５ａの外縁部は上記したようにシャーシ１４の受け板１４ｃ上に載置されており、上下方向の強固な拘束力を受けないものとされている。
【００３８】
拡散板１５ａ上に配される光学シート１５ｂは、拡散板１５ａに比して板厚が薄いシート状をなしており、２枚が積層して配されている。光学シート１５ｂの具体的な種類としては、例えば拡散シート、レンズシート、反射型偏光シートなどがあり、これらの中から適宜選択して使用することが可能である。この光学シート１５ｂは、ＬＥＤ１７から出射され、拡散板１５ａを通過した光を面状の光とする機能を有する。当該光学シート１５ｂの上面側には液晶パネル１１が設置されている。
【００３９】
一方、シャーシ１４の底板１４ａ及び側板１４ｂの内面側には、そのほぼ全体を覆う形で反射シート１８が配設されている。反射シート１８は、合成樹脂製とされ、その表面が光反射性に優れた白色とされている。この反射シート１８のうち、後述する拡散レンズ２１と対応する位置には、孔部１８ａが形成されている。したがって、反射シート１８によりシャーシ１４の底板１４ａ全体が覆われるものの、この孔部１８ａを通じて、拡散レンズ２１は、光学シート群１５側へ露出する構成となっている。また、反射シート１８は、底板１４ａの縁部において斜めに立ち上がり、側板１４ｂの内面側を覆う構成となっており、その外縁部がシャーシ１４の受け板１４ｃに載置されている。この反射シート１８により、ＬＥＤ１７から出射された光を拡散板１５ａ側に反射させることが可能となっている。
【００４０】
さらに、シャーシ１４の底板１４ａの内面側には、ＬＥＤ１７及び拡散レンズ２１が取り付けられたＬＥＤ基板（基板）２０が設置されている。ＬＥＤ基板２０は、合成樹脂製であり、その表面に銅箔などの金属膜からなる配線パターンが形成された構成とされる。ＬＥＤ基板２０は、図５に示すように、長手状の板状部材とされ、その長手方向がシャーシ１４の長辺方向（Ｘ軸方向）と一致する形で配置されている。より詳細には、シャーシ１４の長辺方向に沿って、３つのＬＥＤ基板２０，２０，２０同士がその長手方向を同じくした形で配置され、互いにコネクタ２２により電気的・物理的に接続されている。さらに、シャーシ１４の短辺方向（Ｙ軸方向）にみると、直列に接続された３つのＬＥＤ基板２０，２０，２０が９列並列配置されている。これらＬＥＤ基板２０には、図示しない外部の制御ユニットが接続されていて、当該制御ユニットからＬＥＤ１７の点灯に必要な電力が供給されるとともにＬＥＤ１７の駆動制御が可能となっている。
【００４１】
隣り合うＬＥＤ基板２０を接続するコネクタ２２は、光反射性に優れた白色とされる。コネクタ２２は、図５中、相対的に左側に位置するＬＥＤ基板２０に取り付けられた第１コネクタ２２ａと、相対的に右側に位置するＬＥＤ基板２０に取り付けられた第２コネクタ２２ｂとからなる。ここで、第１コネクタ２２ａは、ＬＥＤ基板２０の長手方向の端部より外側に延設されており、当該第１コネクタ２２ａと第２コネクタ２２ｂとが互いに嵌合されることによりＬＥＤ基板２０，２０同士の接続が完了する。
【００４２】
各ＬＥＤ基板２０には、６個のＬＥＤ１７が、当該ＬＥＤ基板２０の長手方向に沿って直線上に（一列に）配置されている。より詳細には、６個のＬＥＤ１７は、各ＬＥＤ基板２０上に等間隔で表面実装されている。これらＬＥＤ１７は、青色を単色発光する青色発光チップに、黄色の領域に発光ピークを持つ蛍光体を塗布することで白色発光するものとされている。各ＬＥＤ１７は、ＬＥＤ基板２０に形成された配線パターンにより電気的に直列に接続されている。なお、ＬＥＤ１７は、例えば青色発光チップに、緑色及び赤色の領域に発光ピークを持つ蛍光体を塗布することにより白色発光するものとしてもよい。また、ＬＥＤ１７は、青色発光チップに、緑色の領域に発光ピークを持つ蛍光体を塗布するとともに、赤色チップを組み合わせることにより白色発光するものとしてもよい。さらには、ＬＥＤ１７は、青色、緑色、及び赤色の発光チップを組み合わせることにより白色発光するものとしてもよい。
【００４３】
さらに、ＬＥＤ基板２０には、図６に示すように、各々のＬＥＤ１７を覆う形で略半円球状の拡散レンズ２１が取り付けられている。拡散レンズ２１は、光拡散性に優れた光拡散部材とされ、例えばアクリルなどの合成樹脂製とされる。拡散レンズ２１の下面の周縁部には、３つの脚部２３が突設されている。図７に示すように、３つの脚部２３は、拡散レンズ２１の周縁部に沿ってほぼ等間隔（約１２０度間隔）で配置されており、例えば、接着剤や熱硬化性樹脂でＬＥＤ基板２０の表面に固定されている。拡散レンズ２１の下面（ＬＥＤ１７及びＬＥＤ基板２０と対向する面）のうちＬＥＤ１７と平面視重畳する部位には上方側に窪んだ状態の略円錐形の入射凹部２１ａが形成されており、この入射凹部２１ａにＬＥＤ１７からの光が入射される。当該拡散レンズ２１の下面には、シボ処理等の表面粗し処理が施されている。一方、拡散レンズ２１の上面（拡散板１５ａと対向する面）には、中央部（ＬＥＤ１７と平面視重畳する部位）に下方側へ窪んだ状態の凹部２１ｂが形成され、２つの緩やかな円弧が連なった形の出射面２１ｃが形成されている。ＬＥＤ１７から出射された光は、空気層と入射凹部２１ａ、及び出射面２１ｃと空気層との間で屈折することにより、面状に拡散され、広角の範囲に亘って出射面２１ｃから拡散板１５ａ側へ照射される。
【００４４】
上記したＬＥＤ基板２０は、リベット２４によりシャーシ１４の底板１４ａに固定されている。リベット２４は、円盤状の押え部２４ａと、当該押え部２４ａから下方側へ突出する係止部２４ｂとを有する。ＬＥＤ基板２０には、係止部２４ｂを挿通するための挿通孔２０ｃが穿設されており、またシャーシ１４の底板１４ａには、当該挿通孔２０ｃと連通する取付孔１４ｄが穿設されている。リベット２４の係止部２４ｂの先端部は弾性変形可能な幅広部となっており、挿通孔２０ｃ及び取付孔１４ｄに挿通された後、シャーシ１４の底板１４ａの裏面側に係止可能となっている。これにより、リベット２４は、押え部２４ａでＬＥＤ基板２０を押えつつ、当該ＬＥＤ基板２０を底板１４ａに固定可能となっている。
【００４５】
また、図２に示すように、リベット２４のうち、シャーシ１４の底板１４ａの中央部付近に位置するリベット２４の表面には、支持ピン２５が突設されている。支持ピン２５は、先細りする円錐形とされており、拡散板１５ａが下方側へ撓んだ際に、当該拡散板１５ａと支持ピン２５の先端とが点接触することにより、拡散板１５ａを下方から支持することが可能となっている。また、この支持ピン２５を把持することにより、リベット２４の取り扱いが容易となるという機能も有している。
【００４６】
上記した白色発光するＬＥＤ１７は、全て同一色調の白色となるわけではなく、白色内において色調のムラ（ばらつき）がある。そこで、次に、各ＬＥＤ１７の色調ランクについて、図８及び図９を用いて説明する。図８はＣＩＥ（国際照明委員会）による１９３１年策定の色度図、図９は図８における色調ランクの区分を示す要部拡大図である。
本実施形態における各々のＬＥＤ１７の色調は、図８のＣＩＥ１９３１座標内における実線で囲まれた使用領域Ｒの範囲内でばらついている。そこで、当該使用領域Ｒを、図９に示すように、それぞれ各辺の長さが座標距離０．０１となる四角形で囲まれた色調ランクＡ，Ｂ，Ｃの３つに区分する。より詳細には、使用領域Ｒの中央部が色調ランクＡとされる。当該色調ランクＡが色調の本来の狙い値であり、最も多くのＬＥＤ１７が属している。また、色調ランクＡの斜め下方が色調ランクＢとされ、色調ランクＡの斜め上方が色調ランクＣとされており、それぞれ色調が狙い値からばらついたＬＥＤ１７が属している。このように、色調ランクＡと色調ランクＢとが隣り合う色調ランクであり、また、色調ランクＡと色調ランクＣともまた隣り合う色調ランクとなっている。言い換えれば、色調ランクＢと色調ランクＣとは、隣り合わない色調ランクといえる。なお、座標距離０．０１の四角形で囲まれたそれぞれの色調ランクＡ，Ｂ，Ｃは、同一の色調ランク内に属するＬＥＤ１７において、色調のムラが視認されない範囲となっている。
【００４７】
続いて、ＬＥＤ基板２０に配置されたＬＥＤ１７の色調ランクの配置態様について、図１０を用いて説明する。図１０は、ＬＥＤ基板における各色調ランクのＬＥＤの配置態様を説明する模式図である。
図１０に示すように、それぞれのＬＥＤ基板２０には、異なる色調ランクＡ，Ｂ，ＣのＬＥＤ１７が実装されている。まず、行方向（Ｘ軸方向、シャーシ１４の長辺方向、ＬＥＤ基板２０の長手方向）に着目すると、最も上方にある第１行には、３つのＬＥＤ基板２０，２０，２０がコネクタ２２により直列に連結されている。ＬＥＤ基板２０は、図中左から順に配置されたＬＥＤ１７の色調ランクがＡ，Ｂ，Ａ，Ｂ、Ａ，Ｃとなっている。したがって、ＬＥＤ基板２０において隣り合うＬＥＤ１７，１７同士は、隣り合う色調ランク（ＡとＢ、あるいはＡとＣ）に属するものとなっている。
【００４８】
一方、第１行の下方にある第２行には、３つのＬＥＤ基板２０，２０，２０が、第１行のＬＥＤ基板２０に対して、その長手方向に１８０度反転した形でコネクタ２２により直列に連結されている。したがって、当該第２行のＬＥＤ基板２０は、図中左から順に配置されたＬＥＤ１７の色調ランクが第１行のＬＥＤ基板２０とは逆順にＣ，Ａ，Ｂ，Ａ，Ｂ，Ａとなっている。このように、第２行のＬＥＤ基板２０において隣り合うＬＥＤ１７，１７同士もまた、隣り合う色調ランク（ＡとＢ、あるいはＡとＣ）に属するものとなっている。さらに、第３行には第１行と同様の配置方向でＬＥＤ基板２０が配置され、第４行には第２行と同様の配置方向でＬＥＤ基板２０が配置されており、以下、このような配列が繰り返されている。
【００４９】
さらに、Ｘ軸方向において、第１行で直列に連結されたＬＥＤ基板２０，２０同士の間において、隣り合うＬＥＤ１７，１７同士は、隣り合う色調ランク（ＡとＣ）に属するものとなっている。また、第２行で直列に連結されたＬＥＤ基板２０，２０同士の間において、隣り合うＬＥＤ１７，１７同士もまた、隣り合う色調ランク（ＡとＣ）に属するものとなっている。このように、Ｘ軸方向において隣り合うＬＥＤ１７，１７同士は、全て隣り合う色調ランク（ＡとＣ）に属するものとなっている。言い換えれば、Ｘ軸方向においては、２つ以上離れた色調ランク（ＢとＣ）に属するＬＥＤ１７は、隣り合わない構成となっている。
【００５０】
また、ＬＥＤ１７の配置を列方向（Ｙ軸方向、シャーシ１４の短辺方向）について着目した場合には、図中左端の第１列のＬＥＤ１７は色調ランクがＡ，Ｃ，Ａ，Ｃ・・・と配置され、第２列は色調ランクがＢ，Ａ，Ｂ，Ａ・・・と配置され、第３列は色調ランクがＡ，Ｂ，Ａ，Ｂ・・・と配置されている。したがって、並列配置された第１行のＬＥＤ基板２０と第２行のＬＥＤ基板２０との間、つまり列方向（Ｙ軸方向）においても、隣り合うＬＥＤ１７，１７同士は、隣り合う色調ランク（ＡとＢ、あるいはＡとＣ）に属するものとなっている。言い換えれば、Ｙ軸方向においても、２つ以上離れた色調ランク（ＢとＣ）に属するＬＥＤ１７は、隣り合わない構成となっている。
【００５１】
なお、本実施形態では、第１行の右端のＬＥＤ基板２０と第２行の右端のＬＥＤ基板２０とが配線２６により電気的に接続されている。これにより、第１行の左端のＬＥＤ基板２０から駆動電力を入力することにより、第１行のＬＥＤ基板２０上及び第２行のＬＥＤ基板２０上の各ＬＥＤ１７を１つの制御ユニットで点灯することが可能となっている。
【００５２】
以上説明したように、本実施形態によれば、色調に応じてＣＩＥ１９３１座標において一辺が座標距離０．０１の四角形をなす３つの色調ランクＡ，Ｂ，Ｃにそれぞれ区分されたＬＥＤ１７がシャーシ１４内に収容されている。
例えば、同一の色調ランクのＬＥＤ１７のみを使用する場合には、所定数のＬＥＤ１７を確保するために必要以上にＬＥＤ１７を生産しなければならず、また使用できないＬＥＤ１７が生じ得るため、コストの増大に繋がる。しかしながら、本実施形態のように、異なる色調ランクＡ，Ｂ，Ｃに属するＬＥＤ１７を混在して使用することにより、同一の色調ランクのＬＥＤ１７のみを使用する場合に比して、広範囲の色調ランクのＬＥＤ１７を採用することができ、コスト削減に寄与することが可能となる。また、異なる色調ランクＡ，Ｂ，Ｃに属するＬＥＤ１７を混在させることで、色調が全体として平均化され、ほぼ均一な色調の照明光を得ることが可能となる。
【００５３】
また、本実施形態では、複数のＬＥＤ１７が、長手状をなすＬＥＤ基板２０に配置されて、当該ＬＥＤ基板２０がシャーシ１４に設置されている。この場合、各ＬＥＤ１７を１つずつシャーシ１４に設置する場合に比して作業効率を向上させることが可能となる。
【００５４】
また、複数のＬＥＤ１７は、ＬＥＤ基板２０の長手方向に沿って直線上に配置されているため、ＬＥＤ基板２０の設置態様によりＬＥＤ１７の設置態様が一義的に決まるため、当該ＬＥＤ１７の配置の設計が容易となる。
【００５５】
また、複数のＬＥＤ１７は、１つのＬＥＤ基板上に等間隔で配置されている。したがって、ＬＥＤ基板２０によってＬＥＤ１７の配置態様が変更されないため、当該バックライト装置１２のサイズが変更されてもＬＥＤ基板２０を使いまわすことが可能となる。
【００５６】
また、ＬＥＤ１７は、その隣り合うもの同士が、ＬＥＤ基板２０上において、互いに隣り合う色調ランクＡと色調ランクＢ、あるいは色調ランクＡと色調ランクＣに属する構成となっている。したがって、隣り合うＬＥＤ１７の色調が大きく異なることがないため、色調ムラの発生を抑制することが可能となる。
【００５７】
また、ＬＥＤ基板２０は、並列に複数配置されており、当該ＬＥＤ基板２０の並列方向において隣り合うＬＥＤ１７は、互いに隣り合う色調ランクＡと色調ランクＢ、あるいは色調ランクＡと色調ランクＣに属する構成となっている。このような構成によれば、ＬＥＤ基板２０の並列方向において、隣り合うＬＥＤ１７の色調が互いに大きく異なることがないため、色調ムラの発生を抑制することが可能となる。
【００５８】
また、ＬＥＤ基板２０の並列方向において、隣り合うＬＥＤ基板２０，２０同士は、その長手方向に１８０度反転した形で設置されている。このような構成によれば、１種類のＬＥＤ基板２０を反転して配置することにより、ＬＥＤ１７の色調ランクの配置態様を変化させることが可能となり得、色調ムラの発生を抑制することが可能となる。
【００５９】
また、ＬＥＤ基板２０はその長手方向に沿って複数配置され、隣り合うＬＥＤ基板２０，２０同士はコネクタ２２により接続されている。
このような構成によれば、例えば長さの異なる、言い換えれば配置されたＬＥＤ１７の個数が異なるＬＥＤ基板２０を数種類用意しておくことにより、バックライト装置１２のサイズが異なる場合にも、ＬＥＤ基板２０，２０同士をコネクタ２２により連結することで各サイズに対応することができる。したがって、バックライト装置１２のサイズごとにそれぞれＬＥＤ基板２０を用意する必要がなく、コスト削減に寄与することが可能となる。
【００６０】
また、本実施形態では、コネクタ２２は、第１コネクタ２２ａと第２コネクタ２２ｂとからなり、第１コネクタ２２ａは、ＬＥＤ基板２０の長手方向の端部より外側に延設されている。
このような構成によれば、隣り合うＬＥＤ基板２０，２０を第１コネクタ２２ａと第２コネクタ２２ｂとで接続する際に、第１コネクタ２２ａ及び第２コネクタ２２ｂのうち少なくとも一方がＬＥＤ基板２０の外側に延設されているため、第１コネクタ２２ａと第２コネクタ２２ｂとの嵌合を円滑に行うことが可能となる。
【００６１】
また、コネクタ２２は、白色を呈するものとされている。
この場合、コネクタ２２は比較的光反射率が高いものとなるため、当該コネクタ２２において光を吸収し難く、輝度ムラの発生を抑制することが可能となる。
【００６２】
また、シャーシ１４は平面視矩形状とされ、ＬＥＤ基板２０は、その長手方向がシャーシ１４の長辺方向と一致する形で配置されている。
このような構成によれば、シャーシ１４の短辺方向とＬＥＤ基板２０の長手方向とを一致させる場合に比べてＬＥＤ基板２０の数を減少させることが可能となる。したがって、例えばＬＥＤ１７の点灯・消灯を制御する制御ユニットの数を減少させることができるため、低コスト化を実現することが可能となる。
【００６３】
また、光源としてＬＥＤ１７を採用しているため、光源の長寿命化及び低消費電力化などを図ることが可能となる。
【００６４】
特に、本実施形態では、光源として青色発光チップに、黄色の領域に発光ピークを持つ蛍光体を塗布することにより白色発光するＬＥＤ１７を採用している。
このような白色発光するＬＥＤ１７を用いる場合、蛍光体の形成条件（濃度、膜厚など）により白色の中でも青味がかったりすることで色調にばらつきが生じ易い。そこで、本発明の構成を適用することにより、色調が全体として平均化され、ほぼ均一な色調の照明光を得ることが可能となる。
【００６５】
また、複数のＬＥＤ１７は、電気的に直列に接続されている。
これにより、各ＬＥＤ１７に供給される電流を同一とすることができ、各ＬＥＤ１７からの発光量を均一化することができるため、当該バックライト装置１２の照明面における輝度均一性を向上させることが可能となる。
【００６６】
また、ＬＥＤ１７を覆う形で、当該ＬＥＤ１７からの光を拡散可能な拡散レンズ２１が取り付けられている。この場合、拡散レンズ２１によって光が拡散されるため、隣り合うＬＥＤ１７，１７同士の間隔を大きくした場合にも、点状のランプイメージが発生し難い。したがって、配置するＬＥＤ１７を削減することで低コスト化しつつ、ほぼ均一な輝度分布を得ることが可能となる。また、このような拡散レンズ２１を設けることにより、各ＬＥＤ１７の光を混色することができ、色ムラの低減効果が得られるため、更なる色度均一性を図ることができる。
【００６７】
また、拡散レンズ２１は、光を拡散可能な光拡散部材とされているため、良好な光の拡散を行うことが可能となる。
【００６８】
また、拡散レンズ２１は、ＬＥＤ基板２０側の面に表面粗し処理が施されているため、より一層良好な光の拡散を行うことが可能となる。
【００６９】
以上、本発明の実施形態を示したが、本発明は上記実施の形態に限られるものではなく、例えば以下に示す種々の変形例を採用することができる。なお、以下の各変形例において、上記実施形態と同一の構成要素・構成部材については同一の符号を付して説明を省略している。
【００７０】
［第１変形例］
ＬＥＤ１７の配置態様の一変形例として、図１１に示すものを採用することができる。図１１はＬＥＤ基板における各色調ランクのＬＥＤの異なる配置態様を説明する模式図である。
図１１において、Ｘ軸方向（行方向、ＬＥＤ基板２０の長手方向）に着目すると、最も上方にある第１行には、３つのＬＥＤ基板２０，２０，２０がコネクタ２２により電気的・物理的に接続されている。ＬＥＤ基板２０は、図中左から順に配置されたＬＥＤ１７の色調ランクがＡ，Ｂ，Ａ，Ｂ，Ａ，Ｃとなっている。したがって、ＬＥＤ基板２０において隣り合うＬＥＤ１７，１７同士は、隣り合う色調ランク（ＡとＢ、あるいはＡとＣ）に属するものとなっている。さらに、第２行、第３行、第４行・・・においても、第１行と同様の配置方向で、ＬＥＤ基板２０が３つ直列に連結されている。したがって、Ｙ軸方向（ＬＥＤ基板２０の並列方向）に着目すると、図中左端の第１列のＬＥＤ１７は色調ランクがＡ，Ａ，Ａ，Ａ・・・とされ、第２列は色調ランクがＢ，Ｂ，Ｂ，Ｂ・・・とされている。すなわち、並列配置されたＬＥＤ基板２０において、並列方向に隣り合うＬＥＤ１７，１７同士は同一の色調（ＡとＡ、あるいはＢとＢ、あるいはＣとＣ）に属するものとなっている。
【００７１】
このような構成によれば、隣り合うＬＥＤ１７，１７の色調が互いに大きく異なることがないため、色調ムラの発生を抑制することが可能となる。特に、本例においては、用意するＬＥＤ基板２０の種類を減少させることができるため、コスト削減に寄与することが可能となる。
【００７２】
［第２変形例］
ＬＥＤ１７の配置態様の一変形例として、図１２に示すものを採用することができる。図１２はＬＥＤ基板における各色調ランクのＬＥＤのさらに異なる配置態様を説明する模式図である。
図１２において、Ｘ軸方向（行方向、ＬＥＤ基板２０ｄ，２０ｅの長手方向）に着目すると、最も上方にある第１行には、３つの第１ＬＥＤ基板２０ｄ，２０ｄ，２０ｄがコネクタ２２により電気的・物理的に接続されている。第１ＬＥＤ基板２０ｄには、図中左から順にＬＥＤ１７の色調ランクがＡ，Ｂ，Ａ，Ａ，Ａ，Ｃとされている。したがって、第１ＬＥＤ基板２０ｄにおいて隣り合うＬＥＤ１７，１７同士は、同一の色調ランク（ＡとＡ）又は隣り合う色調ランク（ＡとＢ、あるいはＡとＣ）に属するものとなっている。また、第２行には、３つの第２ＬＥＤ基板２０ｅ，２０ｅ，２０ｅがコネクタ２２により電気的・物理的に接続されている。第２ＬＥＤ基板２０ｅは、図中左から順に配置されたＬＥＤ１７の色調ランクがＢ，Ａ，Ａ，Ａ，Ｃ，Ａとなっている。したがって、第２ＬＥＤ基板２０ｅにおいて隣り合うＬＥＤ１７，１７同士もまた、同一の色調ランク（ＡとＡ）又は隣り合う色調ランク（ＡとＢ、あるいはＡとＣ）に属するものとなっている。
【００７３】
このように、本例では、ＬＥＤ基板（第１ＬＥＤ２０ｄ，第２ＬＥＤ基板２０ｅ）の並列方向において、第１行に配置された第１ＬＥＤ基板２０ｄと、第２行に配置された第２ＬＥＤ基板２０ｅの間でＬＥＤ１７の色調ランクの配置態様が異なっている。
このような構成によれば、ＬＥＤ基板２０ｄ，２０ｅの並列方向（行方向）に隣り合うＬＥＤ１７，１７の色調が互いに大きく異なることがないため、色調ムラの発生を抑制することが可能となる。特に、本例の構成は、色調の狙い値である色調ランクＡに属するＬＥＤ１７の数が、他の色調ランクＢ，Ｃに属するＬＥＤ１７の数に比べて、著しく多い場合に好適である。
【００７４】
［第３変形例］
ＬＥＤ１７の配置態様の一変形例として、図１３に示すものを採用することができる。図１３はＬＥＤ基板における各色調ランクのＬＥＤのさらに異なる配置態様を説明する模式図である。
図１３において、Ｘ軸方向（行方向、ＬＥＤ基板２０ｆ，２０ｇの長手方向）に着目すると、最も上方にある第１行には、３つの第３ＬＥＤ基板２０ｆ，２０ｆ，２０ｆがコネクタ２２により電気的・物理的に接続されている。第３ＬＥＤ基板２０ｆは、図中左から順に配置されたＬＥＤ１７の色調ランクがＡ，Ｃ，Ａ，Ｃ，Ａ，Ｃとなっている。したがって、第３ＬＥＤ基板２０ｆにおいて隣り合うＬＥＤ１７，１７同士は、隣り合う色調ランク（ＡとＣ）に属するものとなっている。また、第２行には、３つの第４ＬＥＤ基板２０ｇ，２０ｇ，２０ｇがコネクタ２２により電気的・物理的に接続されている。第４ＬＥＤ基板２０ｇは、図中左から順に配置されたＬＥＤ１７の色調ランクがＢ，Ａ，Ｂ，Ａ，Ｂ，Ａとなっている。したがって、第４ＬＥＤ基板２０ｇにおいて隣り合うＬＥＤ１７，１７同士は、隣り合う色調ランク（ＡとＢ）に属するものとなっている。
また、ＬＥＤ１７の配置を列方向（Ｙ軸方向）について着目した場合には、図中左端の第１列のＬＥＤ１７は色調ランクがＡ，Ｂ，Ａ，Ｂ・・・とされ、第２列は色調ランクがＣ，Ａ，Ｃ，Ａ・・・とされ、以下同様の配列が繰り返される構成となっている。したがって、並列配置された第３ＬＥＤ基板２０ｆと第４ＬＥＤ基板２０ｇとの間、つまり列方向（Ｙ軸方向）においても、隣り合うＬＥＤ１７，１７同士は、隣り合う色調ランク（ＡとＢ、あるいはＡとＣ）に属するものとなっている。
【００７５】
このような構成によれば、列方向及び行方向に隣り合うＬＥＤ１７，１７の色調が互いに大きく異なることがないため、色調ムラの発生を抑制することが可能となる。
【００７６】
［第４変形例］
ＬＥＤ基板２０の接続態様の一変形例として、図１４に示すものを採用することができる。図１４はＬＥＤ基板の異なる接続態様を説明する模式図である。
図１４中、最も上方にある第１行には、３つのＬＥＤ基板２０，２０，２０がコネクタ２２により電気的・物理的に接続されている。また、第２行には、３つのＬＥＤ基板２０，２０，２０が、第１列のＬＥＤ基板２０に対して、その長手方向に１８０度反転した形でコネクタ２２により直列に連結されている。ここで、本例においては、第１列のＬＥＤ基板２０と第２列のＬＥＤ基板２０とは、例えば配線などで接続されておらず、電気的に独立した構成となっている。すなわち、各行において、それぞれ図中左端のＬＥＤ基板２０にＬＥＤ１７の駆動電力を入力する構成となっている。
【００７７】
このような構成によれば、第１行、第２行などの各行ごとにＬＥＤ１７を独立して駆動させることが可能となる。
【００７８】
［第５変形例］
ＬＥＤ１７の配置態様の異なる一変形例として、図１５に示すものを採用することができる。図１５はＬＥＤの異なる配置態様を説明する模式図である。
図１５に示すように、Ｘ軸方向（行方向、ＬＥＤ基板２０ｈの長手方向）に着目すると、３つの第５ＬＥＤ基板２０ｈがコネクタ２２により電気的・物理的に接続されている。第５ＬＥＤ基板２０ｈには、ＬＥＤ１７がＹ軸方向（ＬＥＤ基板２０ｈの短手方向）に２列に並んで電気的に直列に接続されている。第５ＬＥＤ基板２０ｈの第１行は、図中左から順にＬＥＤ１７の色調ランクがＡ，Ｂ，Ａ，Ｂ，Ａ，Ｂとされている。したがって、第５ＬＥＤ基板２０ｈの第１行において隣り合うＬＥＤ１７，１７同士は、隣り合う色調ランク（ＡとＢ）に属するものとなっている。また、第５ＬＥＤ基板２０ｈの第２行は、図中左から順にＬＥＤ１７の色調ランクがＣ，Ａ，Ｃ，Ａ，Ｃ，Ａとされている。したがって、第５ＬＥＤ基板２０ｈの第２行において隣り合うＬＥＤ１７，１７同士は、隣り合う色調ランク（ＡとＣ）に属するものとなっている。
【００７９】
また、第５ＬＥＤ基板２０ｈのＹ軸方向（列方向、ＬＥＤ基板２０ｈの短手方向）に着目すると、隣り合うＬＥＤ１７，１７は電気的に並列に配置されている。ここで、図中左端の第１列のＬＥＤ１７は色調ランクがＡ，Ｃとされ、第２列は色調ランクがＢ，Ａとされている。したがって、列方向（Ｙ軸方向）においても、隣り合うＬＥＤ１７，１７同士は、隣り合う色調ランク（ＡとＢ、あるいはＡとＣ）に属するものとなっている。
【００８０】
本例によれば、ＬＥＤ１７は、第５ＬＥＤ基板２０ｈの長手方向に沿って複数列（ここでは２列）に並んで配置されているため、ＬＥＤ１７の数に対して設置するＬＥＤ基板２０（第５ＬＥＤ基板２０ｈ）の数を低減することができ、部品点数の削減、および作業効率の増大を実現することが可能となる。
【００８１】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００８２】
（１）上記した実施形態では、色調ランクを３つに区分した場合を例示したが、色調ランクの区分数はこれに限られるものではなく、２つや４つ以上に区分した場合も本発明に含まれる。
【００８３】
（２）上記した実施形態では、シャーシの長辺方向（Ｘ軸方向）に、３つのＬＥＤ基板を連結した構成を例示したが、ＬＥＤ基板の数は２つ以下でもよく、また４つ以上でもよい。また、１つのＬＥＤ基板に配置するＬＥＤの数も６つに限られることなく、任意の数とすることができる。
【００８４】
（３）上記した実施形態では、シャーシの長辺方向（Ｘ軸方向）において、同一のＬＥＤの色調配列をもつＬＥＤ基板同士を連結する構成としたが、異なる色調配列をもつＬＥＤ基板を互いに連結する構成としてもよい。
【００８５】
（４）上記した実施形態では、白色発光するＬＥＤを例示したが、発色光は白色に限られるものではなく、任意の色とすることができる。
【００８６】
（５）上記した実施形態では、各ＬＥＤを縦横方向に格子状に整列配置する構成を例示したが、例えば各ＬＥＤを六方最密状に、すなわち隣り合うＬＥＤの間の距離が全て均等となるように配置したり、各ＬＥＤが互い違いに配置したりしてもよい。
【００８７】
（６）上記した実施形態では、光源として、青色発光チップに、黄色の領域に発光ピークを持つ蛍光体を塗布することにより白色発光するＬＥＤを例示したが、例えば波長３８０ｎｍ付近に発光ピークを有する紫外光発光チップと、当該紫外光を吸収し蛍光を発する蛍光体とで構成する光源としてもよい。このとき、蛍光体として、青色、緑色、及び赤色の領域に発光ピークを持つ蛍光体を用いることで、白色光を得ることができる。このような構成による白色光は広い可視光範囲に亘りなだらかなスペクトルが得られ演色性に優れる。ここで、蛍光体の配分量のばらつき等により、色ムラが生じる場合があるが、本発明の構成により色調の均一化が可能である。これにより、演色性に優れかつ色ムラの抑制された照明装置を得ることが可能となる。
【００８８】
（７）上記した実施形態では、ＬＥＤを覆う形で拡散レンズを配置する構成を例示したが、拡散レンズは必ずしも配置する必要はない。この場合、ＬＥＤを密に配置することにより、点状のランプイメージの発生を抑制することが可能となる。
【００８９】
（８）上記した実施形態では、点状光源としてＬＥＤを用いたものを例示したが、ＬＥＤ以外の点状光源を用いたものであってもよい。
【００９０】
（９）上記した実施形態では、光学シート群として拡散板と、拡散シートやレンズシートや反射型偏光シートとを組み合わせた構成を例示したが、例えば光学シートとして２枚の拡散板を積層する構成を採用することもできる。
【００９１】
（１０）上記した実施形態では、コネクタは白色を呈するものとしたが、光反射性に優れたものであればよく、例えばアイボリーを呈する材料にて形成したものでもよい。
【符号の説明】
【００９２】
１０…液晶表示装置（表示装置）、１１…液晶パネル（表示パネル）、１２…バックライト装置（照明装置）、１４…シャーシ、１７…ＬＥＤ（点状光源、発光ダイオード）、２０…ＬＥＤ基板（基板）、２１…拡散レンズ、２２…コネクタ、２２ａ…第１コネクタ、２２ｂ…第２コネクタ、Ａ，Ｂ，Ｃ…色調ランク、ＴＶ…テレビ受信装置
【図１】
2010147005.tif 000003
【図２】
2010147005.tif 000004
【図３】
2010147005.tif 000005
【図４】
2010147005.tif 000006
【図５】
2010147005.tif 000007
【図６】
2010147005.tif 000008
【図７】
2010147005.tif 000009
【図８】
2010147005.tif 000010
【図９】
2010147005.tif 000011
【図１０】
2010147005.tif 000012
【図１１】
2010147005.tif 000013
【図１２】
2010147005.tif 000014
【図１３】
2010147005.tif 000015
【図１４】
2010147005.tif 000016
【図１５】
2010147005.tif 000017
【国際調査報告】
2010147005.tif 000018
2010147005.tif 000019